(57)【特許請求の範囲】
【請求項１】
通常均一な増幅及びインピーダンス特性を有する増幅回路のアレイであって、各増幅回路が、入力電圧端子と、基準電圧端子と、出力電圧端子とを備える、前記増幅回路と、
アナログ入力電圧を前記増幅回路の各入力電圧端子に印加する入力電圧回路網と、
通常均一な間隔の基準電圧を前記増幅回路の各基準電圧端子に印加する基準電圧回路網であって、各増幅回路の相対機能位置が、受け取った基準電圧の大きさによって決定される、前記基準電圧回路網と、
通常同一の平均インピーダンスを備え、隣接する増幅回路の出力電圧端子を結合する平均回路網と、
前記複数の増幅回路の各々から増幅された電位差を出力する出力電圧回路網と、
終端回路及び終端平均インピーダンスを備える終端回路網であって、前記終端回路が前記アナログ入力電圧及び終端基準電圧を受け、前記終端回路が、前記アナログ入力電圧と前記終端基準電圧との差に依存する出力電圧を発生するための出力電圧端子であって、前記出力電圧端子は前記終端平均インピーダンスを介して前記アレイの外部増幅回路の出力電圧端子に結合される、前記出力電圧端子を具備する終端回路網と、を備えるＡＤコンバータにおいて、
前記終端回路の増幅及び／又はインピーダンス特性、及び／又は終端基準電圧、及び／又は終端平均インピーダンスが、前記アレイの有限のサイズのために補正される電流を、前記アレイの前記外部増幅回路の出力電圧端子に生成するように、基準から外れていることを特徴とするＡＤコンバータ。
【請求項２】
前記終端回路の増幅及び／又はインピーダンス特性、及び／又は終端基準電圧、及び／又は前記終端回路網の終端平均インピーダンスが、前記アレイの隣接する出力電圧端子間の各平均インピーダンスを介した電流の大きさが通常等しいように、基準から外れていることを特徴とする、請求項１に記載のＡＤコンバータ。
【請求項３】
前記終端基準電圧と外部増幅回路に印加される基準電圧との電圧差が、前記増幅回路に印加される各基準電圧間の通常均一な間隔と比べて大きく、前記終端回路の増幅及びインピーダンス特性と終端平均インピーダンスは基準からはずれていないことを特徴とする、請求項１又は２に記載のＡＤコンバータ。
【請求項４】
出力インピーダンスがＲ１で、平均インピーダンスＲ２で結合された増幅回路から成るアレイにおいて、電圧差が、前記均一な間隔と比べて大きい（Ｒ１＋Ｒ２）／Ｒ２であることを特徴とする、請求項３に記載のＡＤコンバータ。
【請求項５】
前記終端回路がゼロ出力インピーダンスを有し、前記終端回路の増幅特性、終端基準電圧及び終端平均インピーダンスが基準からはずれていないことを特徴とする、請求項１又は２に記載のＡＤコンバータ。
【請求項６】
出力インピーダンスがＲ１で、平均インピーダンスＲ２で結合された増幅回路から成るアレイにおいて、終端平均インピーダンスがＲ２−Ｒ１に等しく、前記終端回路の増幅及びインピーダンス特性、終端基準電圧が基準からはずれていないことを特徴とする、請求項１又は２に記載のＡＤコンバータ。
【請求項７】
出力インピーダンスがＲ１で、平均インピーダンスＲ２で結合された増幅回路から成るアレイにおいて、Ｒ１＞Ｒ２であり、終端平均インピーダンスが能動回路によって生成され、前記終端回路の増幅及びインピーダンス特性、終端基準電圧が基準からはずれていないことを特徴とする、請求項１又は２に記載のＡＤコンバータ。
【請求項８】
前記終端回路網が複数の終端回路から成り、隣接する２つの終端回路の少なくとも２つの出力電圧端子が短絡していることを特徴とする請求項７に記載のＡＤコンバータ。
【請求項９】
前記終端回路網が、短絡している出力電圧端子を備えた２つの終端回路を備え、前記増幅回路が、同じ間隔の基準電圧をさらに受け、かつ入力電圧に接続されており、前記増幅回路の出力電圧端子が、終端平均インピーダンスで前記アレイの外部増幅回路の出力電圧端子に結合されており、終端平均インピーダンスが３／２・Ｒ２−１／２・Ｒ１であり、前記終端回路の増幅及びインピーダンス特性、終端基準電圧が基準からはずれていないことを特徴とする請求項８に記載のＡＤコンバータ。
【請求項１０】
前記終端回路の増幅及びインピーダンス特性、終端基準電圧は、その大きさが通常均一であり、出力インピーダンスがＲ１で、平均インピーダンスＲ２で結合された増幅回路から成るアレイにおいて、Ｒ１＞Ｒ２である、請求項１〜９のうちの少なくとも一つに係るＡＤコンバータの設計方法であって、
該方法が、隣接する２つの外部終端回路の２つの出力電圧端子を短絡させるステップから成り、
該方法がさらに、前記アレイの隣接する出力電圧端子間の各平均インピーダンスを介した電流の大きさが通常等しいように、前記終端回路の出力電圧端子を、前記終端回路に隣接する増幅回路の第１の出力電圧端子に結合する第１の終端インピーダンスの大きさを計算するステップと、
前記大きさが負の場合、前記終端回路の出力電圧端子を前記第１の出力電圧端子に対して短絡し、かつ前記終端回路のすぐ隣の出力電圧端子を前記終端回路に隣接する増幅回路のすぐ隣の出力電圧端子に結合するすぐ隣の終端インピーダンスの大きさを計算するステップと、を繰り返すことを含むことを特徴とする方法。
【発明の詳細な説明】
【０００１】
【発明の属する技術分野】
本発明は、通常均一な増幅及びインピーダンス特性を有する複数の増幅回路であって、各増幅回路が、入力電圧端子と、基準電圧端子と、出力電圧端子とから成る増幅回路と、アナログ入力電圧を増幅回路の各入力電圧端子に印加する入力電圧回路網と、通常均一な間隔の基準電圧を増幅回路の各基準電圧端子に印加する基準電圧回路網であって、各増幅回路の相対機能位置が、印加された基準電圧の大きさによって決定される基準電圧回路網と、通常同一の平均インピーダンスを備え、隣接する増幅回路の出力電圧端子を結合する平均回路網と、複数の増幅回路の各々から増幅された電位差を出力する出力電圧回路網と、終端回路及び終端平均インピーダンスから成る終端回路網であって、終端回路が、入力電圧及び終端基準電圧を受け、かつ終端平均インピーダンスによって上記アレイの外部増幅回路の出力電圧端子に結合される出力電圧端子を具備する終端回路網と、から成るＡＤコンバータに関する。
【０００２】
【従来の技術】
このようなＡＤコンバータは、「Ａ  ６ｂ  ５００ＭＳａｍｐｌｅ／ｓ  ＡＤＣ  ｆｏｒ  ａ  Ｈａｒｄ  Ｄｉｓｋ  Ｄｒｉｖｅ  Ｒｅａｄ  Ｃｈａｎｎｅｌ」（Ｔａｍｂａ，Ｙ，ＩＳＳＣＣ  '９９，３２４〜３２５頁）で知られ、増幅器のオフセットを低減する平均回路網を備えている。しかし、平均化することは、アレイ内の増幅器の位置による負荷を生じる。平均回路網を通すと、増幅回路がオフセットエラーを生じない理想的な回路網と比べて、ゼロ公差のずれが生じる。増幅回路のアレイの有限性のため、ゼロ公差は、ＡＤコンバータアレイの外部回路に対して非線形である。無限アレイに似せるために、開示された終端回路網は、一連の「ダミー」増幅回路を備えている。一連の最も内側の増幅器のみを用いることによって、境界効果が抑制される。
【０００３】
この公知の解決法においては、増幅回路の数の増加は無限アレイによく似ているので、より多くのダミーの増幅器がアレイの両端に使われた場合、終端がより有効になるということは明白である。実例として、１６のＡＤ増幅器から成るＡＤコンバータアレイの場合、６以上の増幅器が使用され、６３の増幅器アレイの場合、１８以上の増幅器が使用される。
【０００４】
上述の実施の形態は、線形性が完全に修復されず、単に限界に近づき、良好な線形性のためには、より多くのダミー増幅器が挿入されるという欠点を有する。満足させない線形性の他にも、該実施の形態のパワーの浪費や入力キャパシタンスが実に無駄である。
【０００５】
【発明が解決しようとする課題】
本発明は、上述の問題を除去しようとし、改善された線形特性を有し、かつより少ないパワーの浪費が可能な改良されたＡＤコンバータを提供することをその目的の一つとするものである。
【０００６】
【課題を解決するための手段】
本発明によれば、上述のタイプのＡＤコンバータは、終端回路の増幅及び／又はインピーダンス特性、及び／又は終端基準電圧、及び／又は終端平均インピーダンスが、アレイの有限のサイズのために補正される電流を、アレイの外部増幅回路の出力電圧端子に生成するように、基準から外れていることを特徴とする。
【０００７】
換言すれば、終端回路は、その構成部分のうちの少なくとも一つにおいて、アレイの増幅回路から離れている。すなわち、終端回路の増幅及び／又はインピーダンス特性は、アレイの増幅回路の通常均一な増幅及び／又はインピーダンス特性から外れており、及び／又は前記終端基準電圧と外部増幅回路に印加された基準電圧との電圧差は、アレイ内の隣接する２つの増幅回路の基準電圧の電圧差から離れており、及び／又は終端平均インピーダンスは、アレイ内で用いられる平均インピーダンスから外れている。
【０００８】
本願明細書を通して、「外れている（“deviant”又は“deviates”）という用語は、上述の文脈における「通常均一な」という用語と対照的に用いている。本発明に係るＡＤコンバータは、アレイの増幅回路と同様の設計で、最少数の部品で終端回路を提供するので特に有益であり、これにより、複雑で、遅く及び／又はパワーを吸収する特別な回路の必要がなくなると共に、単に、境界効果に対するそれほど厳密でない補正を達成しようとする従来の終端回路網と比べて、該境界効果を厳密に除去することができる。
【０００９】
好適な実施の形態においては、終端回路の増幅及び／又はインピーダンス特性、及び／又は終端基準電圧、終端回路網の終端平均インピーダンスが、アレイの隣接する出力電圧端子間の各平均インピーダンスを介した電流の大きさが通常等しいように、基準から外れている。このように、本発明によれば、ＡＤコンバータの終端は実現でき、アレイの線形性は最適に修復される。終端増幅回路のゼロ交差は、アレイ内の増幅器のゼロ公差の回復位置のため、かなりずれ、そのため使用できない。端部終端回路のこのような変更は端部における線形性を回復するだけでなく、増幅器間の不均衡の伝播を防ぐ。
【００１０】
一つの実施の形態において、本発明は、終端基準電圧と外部増幅回路に印加される基準電圧との電圧差が、増幅回路に印加される各基準電圧間の通常均一な間隔と比べて大きく、終端回路の増幅及びインピーダンス特性と終端平均インピーダンスは基準からはずれていないことを特徴とする。
【００１１】
具体的には、本発明に係る好適な実施の形態においては、出力インピーダンスがＲ１で、平均インピーダンスＲ２で結合された増幅回路から成るアレイにおいて、電圧差は、均一な間隔と比べて大きい（Ｒ１＋Ｒ２）／Ｒ２である。この好適な実施の形態においては、平均抵抗器上の電圧差が、増幅回路の残部の平均抵抗器の差と等しいので、出力端子を終端回路に結合することができる。この変更例は、線形特性を修復するために能動化される必要があるダミー回路がないという特別な利点を有する。
【００１２】
他の好適な実施の形態においては、終端回路はゼロ出力インピーダンスを有し、終端回路の増幅特性、終端基準電圧及び終端平均インピーダンスは基準からはずれていない。
【００１３】
さらに他の好適な実施の形態においては、出力インピーダンスがＲ１で、平均インピーダンスＲ２で結合された増幅回路から成るアレイにおいて、終端平均インピーダンスはＲ２−Ｒ１に等しく、終端回路の増幅及びインピーダンス特性、終端基準電圧は基準からはずれていない。ここでも、平均インピーダンスは不変のままであるので、出力端子は終端回路に結合することができる。
【００１４】
さらに他の好適な実施の形態においては、出力インピーダンスがＲ１で、平均インピーダンスＲ２で結合された増幅回路から成るアレイにおいて、Ｒ１＞Ｒ２であり、終端平均インピーダンスは能動回路によって生成され、終端回路の増幅及びインピーダンス特性、終端基準電圧は基準からはずれていない。このような能動回路によって、有効な負性インピーダンスを、本発明に係る終端を達成するために生成することができる。
【００１５】
具体的には、Ｒ１＞Ｒ２の場合、終端回路網は複数の終端回路から成り、隣接する２つの終端回路の少なくとも２つの出力電圧端子は短絡している。従って、本発明の一つの態様によれば、外部出力電圧端子を短絡することによって、内部出力電圧端子の線形性が修復される。
【００１６】
さらに具体的には、終端回路網は、短絡している出力電圧端子を備えた２つの終端回路から成り、増幅回路は、同じ間隔の基準電圧をさらに受け、かつ入力電圧に接続されており、増幅回路の出力電圧端子は、終端平均インピーダンスでアレイの外部増幅回路の出力電圧端子に結合されており、終端平均インピーダンスは３／２・Ｒ２−１／２・Ｒ１であり、終端回路の増幅及びインピーダンス特性、終端基準電圧は基準からはずれていない。
【００１７】
本発明はさらに、終端回路の増幅及びインピーダンス特性、終端基準電圧は、その大きさが通常均一であり、出力インピーダンスがＲ１で、平均インピーダンスＲ２で結合された増幅回路を備えるアレイにおいて、Ｒ１＞Ｒ２であるＡＤコンバータの設計方法であって、該方法が、隣接する２つの外部終端回路の２つの出力電圧端子を短絡させるステップを備え、該方法がさらに、前記アレイの隣接する出力電圧端子間の各平均インピーダンスを介した電流の大きさが通常等しいように、前記終端回路の出力電圧端子を、前記終端回路に隣接する増幅回路の第１の出力電圧端子に結合する第１の終端インピーダンスの大きさを計算するステップと、前記大きさが負の場合、前記終端回路の出力電圧端子を前記第１の出力電圧端子に対して短絡し、かつ前記終端回路のすぐ隣の出力電圧端子を前記終端回路に隣接する増幅回路のすぐ隣の出力電圧端子に結合するすぐ隣の終端インピーダンスの大きさを計算するステップと、を繰り返すことを含む方法に関する。
【００１８】
本発明の方法によれば、最初の段階の計算が、例え無謀な終端平均インピーダンスの特性が要求される設計を示しても、そのような要求は、終端回路網の一部となる、アレイの外部増幅回路を「設け」、次の隣接する終端回路の要求される終端インピーダンスを再計算することにより満たすことができるということが明らかになる。このように、要求された終端平均インピーダンスは、より正になり、上述のステップを繰り返した後、正の終端平均インピーダンスを、本発明に係るアレイを補正するために計算することができる。
【００１９】
本発明の他の目的及び特徴は、添付図面によって明らかになるであろう。
【００２０】
【発明の実施の形態】
従来のＡＤコンバータ１の略図を図１に示す。ここでは、ラインＩ−Ｉで終端された、アレイ１の下半分のみを示している。ＡＤコンバータ１は、例えば、磁気記憶装置や光記憶装置に用いられている。しきい電圧のずれのため、注意しないと増幅器２はオフセットする。しかし、用いる技術の最大帯域幅の利得に対して、増幅器２は、従来のオフセット補正を有していない。図示のトポロジーはフラッシュＡＤＣであり、増幅器２のアレイ１はそれぞれわずかに異なる基準入力電圧レベルを受ける。並行な増幅器２のアレイのオフセットの影響を低減するために、各増幅回路２の出力電圧端子３を、抵抗器５から成る平均回路網４を介して、隣接する増幅回路２の出力電圧端子３に結合する。増幅回路２はさらに、端子６、７間で受けた電圧差を増幅するために、少なくとも入力電圧端子６と基準電圧端子７とを備える。入力電圧回路網８は、アナログ入力電圧を各増幅回路２の各入力電圧端子６に印加するためにあり、基準電圧回路網９は、上記増幅回路２の各基準電圧端子７のための通常均一な間隔の基準電圧を生成する、通常均一な大きさの一連の基準インピーダンス１０を備えている。アレイ１はさらに、例えば増幅器又はソースフォロア１２によって出力電圧端子３上で受けた出力電圧を出力する出力電圧回路網１１を備えている。
【００２１】
従来のＡＤコンバータは、実質的に同一の増幅及びインピーダンス特性を有する、通常均一な増幅回路２のアレイとして設計されている。このようなアレイ１においては、抵抗器５から成る平均回路網４のため、増幅回路がオフセットエラーを生じない理想的な回路網と比べて、ゼロ公差のずれが生じる。増幅回路２のアレイ１の有限性のため、ゼロ公差は、ＡＤコンバータアレイ１の外部回路に対して非線形である。無限アレイに似せるために、従来の終端回路網は、出力電圧回路網１１に結合されていない一連の「ダミー」増幅回路１３を備えている。このように、最適な線形特性を有する、最も内側の増幅回路２のみが用いられる。
【００２２】
従って、従来の終端回路網は、アレイ１の外部増幅回路１３によって形成されている。これらの外部回路１３は、該アレイの増幅回路と通常同一の構造を有しているが、出力回路網には結合されていない。
【００２３】
対照的に、図１のアレイと通常同一の設計を有する、すなわち、通常均一な増幅及びインピーダンス特性の増幅回路２から成り、かつ入力電圧回路網８と、基準電圧回路網９と、平均回路網４と、複数の増幅回路２のそれぞれから増幅した電圧差を出力する出力電圧回路網１１とをさらに備える、本発明に係るアレイ１４の小信号等価回路を図２に示す。小信号においては、増幅器は、電圧源１５及び出力インピーダンス１６として設計されている。本発明に係るアレイ１４は、変更した外部増幅回路又は終端回路１７、すなわち、アレイ１の内部の増幅回路２と寸法が異なる回路を備えている。これは、図２に、上記終端回路１７、具体的には、基準からはずれた増幅及び／又はインピーダンス特性、基準からはずれた基準インピーダンス１８、及び／又は基準からはずれた終端平均インピーダンス１９を有する終端増幅回路１７を構成する点線で示す電子部品によって示す。
【００２４】
本発明にしたがって終端回路を設計することにより、アレイの外部増幅回路の出力電圧端子における電流は、アレイ１４の有限サイズのために補正される。具体的には、本発明によれば、終端回路１７の増幅及び／又はインピーダンス特性、及び／又は終端基準電圧１８、終端回路網の終端平均インピーダンス１９は、上記アレイ１４の隣接する出力電圧端子間の各平均インピーダンス５、１９を介した電流の大きさが通常等しいように、基準から外れている。
【００２５】
アレイ１の中心における増幅回路ｎに対するサブ回路の分析によって次の等式が得られる（図２参照）。
【００２６】
【数１】
0003920162.tif 000002
この等式において、ΔＵｒｅｆは隣接する基準電圧端子間の電位差を表わし、Ａｕは増幅回路の増幅度を表わし、Ｒ１は通常同一の増幅回路の出力インピーダンスを表わし、Ｒ２は増幅回路の出力端子間の通常同一の平均インピーダンスを表わす。回路ｎ−１、ｎ、ｎ＋１のサブ回路の電流は、それぞれＩｎ−１、Ｉｎ、Ｉｎ＋１で表わす。
【００２７】
上記回路が、両方向に無限につながった増幅器に近い場合、各サブ回路の電流は、隣接するサブ回路の電流に等しい。
【００２８】
【数２】
0003920162.tif 000003
この等式から、Ｒ２（図２の符号５）を通る電流は次式で表わされる。
【００２９】
【数３】
0003920162.tif 000004
しかし、アレイ１４の外端部に配置された増幅回路１７の場合、上記等式は次のように示される。
【００３０】
【数４】
0003920162.tif 000005
式（４）において、Ｒ´２、Ｒ´１は外部増幅回路１７の平均インピーダンス及び出力インピーダンスを表わす。この式（４）から、Ｒ´２を通る電流は次式で表わされる。
【００３１】
【数５】
0003920162.tif 000006
すなわち、式（５）から、（ΔＵｒｅｆ・Ａｕで表わされる）増幅特性、及び／又はインピーダンスＲ´２（１９）及びＲ´１（１６）を変更することにより、増幅及び／又はインピーダンス特性、終端基準電圧、及び／又は終端平均インピーダンス１９を基準から外して、増幅回路２の残部を流れる電流Ｉ２（Ｉｎ）と等しい、アレイ１４の外部増幅回路１７の出力電圧端子における電流を生成することによって、電流Ｉ１を変更することができ、それによりアレイ１４の有限サイズを補正する。
【００３２】
上記の電子部品の適切な変更により、平均抵抗器Ｒ´２（１９）を変更せずに他の平均抵抗器Ｒ２と等しくすることができることに注意すべきである。この場合、回路１７内の電流が増幅回路２の残部を流れる電流Ｉ２（Ｉｎ）と等しいだけでなく、平均抵抗器Ｒ２上の電圧差が増幅回路２の残部の平均抵抗器Ｒ２の差と等しいので、出力端子１２１は外部増幅回路１７と結合することができる。この変更は、線形特性を修復するために能動化されるダミー回路は必要ないという特別な利点を有する。
【００３３】
図３は、第１の実施の形態として、外部終端基準抵抗器１８上の電圧差が他の基準抵抗器１０上の基準電圧と比べて大きい、本発明に係るＡＤコンバータ２０の実施例を示す。回路１７の出力インピーダンス１６及び平均インピーダンス１９は基準から外れておらず、それぞれＲ１、Ｒ２に等しい。出力端子１２１は回路１７に結合されている。式（１）〜（５）でＡｕによって示された外部回路１７の増幅特性も、内部回路２の増幅特性に対して変わっていない。具体的には、終端回路１７の場合、式（４）は次のように示される。
【００３４】
【数６】
0003920162.tif 000007
Ｉ１＝Ｉ２、Ｉ２Ｒ２＝ΔＵｒｅｆ・Ａｕの場合、線形性は修復され、次式のようになる。
【００３５】
【数７】
0003920162.tif 000008
別の実施の形態を図４及び図５に示す。ここで式（４）から始め、Ｉ１＝Ｉ２、ΔＵｒｅｆ・Ａｕ＝Ｒ２Ｉ２に設定すると次のようになる。
【００３６】
【数８】
0003920162.tif 000009
式（７）は、内部回路２と同じサブ回路電流を有する外部終端回路１７のための条件である。
【００３７】
図４に、Ｒ´１を０にし、かつＲ２＝Ｒ２にすることによって、式（７）が満たされる、変更した終端回路１７を有する、本発明の第２の実施の形態に係るＡＤコンバータ２１を示す。この条件は、出力端子１２１を回路１７に結合できるようにする。すなわち、外部終端回路１７がゼロ出力インピーダンスを有することを要求し、かつ終端回路１７の増幅特性を有することによって、終端基準電圧及び終端平均インピーダンス１９は内部回路２に対して変更されず、本発明に係るアレイ２１は、改善された線形特性を示す。
【００３８】
本発明のさらに別の実施の形態を図５に示す。アレイ２２において、終端回路１７の増幅及びインピーダンス特性、終端基準電圧は、増幅回路２に対して相対的に変更されていない。しかし、平均インピーダンス１９はここではＲ２−Ｒ１であり、Ｒ２＞Ｒ１と仮定する。
【００３９】
図６は、出力インピーダンス１６が平均インピーダンスＲ２よりも大きい、すなわちＲ２−Ｒ１＜０である、本発明の実施の形態を示す。
【００４０】
変更された終端平均抵抗器１９は負の値を有することができないため、図５に提案された解決法は有効でない。しかし、図６に提案された解決法は、平均抵抗器１９をゼロに設定することによって、すなわち、隣接する２つの外部回路１７、２３の出力電圧端子を短絡することによって、このことを解決する。従って、短絡された終端回路１７、２３の出力電圧端子３を有する終端回路網２４は、終端回路１７及び２３に対して次のサブ回路の式（それぞれ下付き数字１、２で示されている）で示される。
【００４１】
１７：
【数９】
0003920162.tif 000010
２３：
【数１０】
0003920162.tif 000011
線形性は、Ｉ２−Ｉｎ＝０で、ΔＵｒｅｆ・Ａｕ＝Ｒ２Ｉ２であることを要求し、Ｒ２の場合の解決は、３／２・Ｒ２−１／２・Ｒ１に等しい終端インピーダンスを生じ、終端回路の増幅及びインピーダンス特性、終端基準電圧は、基準から外れていない。
【００４２】
このように、要求される負の終端抵抗器は、特別な増幅器によって形成されることが分かる。（３／２・Ｒ２−１／２・Ｒ１）の値を有する、要求された負の終端平均抵抗器Ｒ´２のための値が負の結果を示す場合、短絡する方法を繰り返すことができ、すなわち、上記の大きさが負の場合、終端回路２３の出力電圧端子は、次の隣接する回路２５の出力電圧端子３と短絡され（Ｒ´２を０に設定することに等しい）、終端回路２６の次の出力電圧端子を、終端回路２５に隣接する増幅回路の次の出力電圧端子に結合する、次の終端インピーダンス２６の大きさを計算する。その時点のＲ´２の値により（例えば、Ｒ´２がＲ２に等しい場合）、出力端子１２１は、回路１７に結合することができる（図中に任意に点線で示す）。
【００４３】
当業者には、本発明が、図を参照して説明した実施の形態に限定されず、種々の変形例を包含しても良いことは明白であろう。それらの変形例は、添付クレームの保護の範囲内に含まれると考えられる。
【図面の簡単な説明】
【図１】従来のＡＤコンバータの略図である。
【図２】本発明に係るＡＤコンバータの小信号等価回路を示す図である。
【図３】本発明に係るＡＤコンバータの第１の実施の形態を示す図である。
【図４】本発明に係るＡＤコンバータの第２の実施の形態を示す図である。
【図５】本発明に係るＡＤコンバータの第３の実施の形態を示す図である。
【図６】本発明に係るＡＤコンバータの第４の実施の形態を示す図である。
【符号の説明】
１  ＡＤコンバータ
２  増幅器
３  出力電圧端子
４  平均回路網
５  抵抗器
６  入力電圧端子
７  基準電圧端子
８  入力電圧回路網
９  基準電圧回路網
１０  基準インピーダンス
１１  出力電圧回路網
１２  ソースフォロア
１３  「ダミー」増幅回路
１４  アレイ
１５  電圧源
１６  出力インピーダンス
１７  終端回路
１８  基準インピーダンス
１９  終端平均インピーダンス
２０，２１  ＡＤコンバータ
２３，２５  終端回路
２４  終端回路網
【図１】
0003920162.tif 000012
【図２】
0003920162.tif 000013
【図３】
0003920162.tif 000014
【図４】
0003920162.tif 000015
【図５】
0003920162.tif 000016
【図６】
0003920162.tif 000017